(57)【要約】【課題】表示装置の焼き付きの抑制効果をより長く維持できる表示装置の焼付防止方法を提供すること。【解決手段】表示装置の表示位置調整手段は、表示画像の移動軌跡の形状が互いに異なる第１〜第４移動軌跡モードに基づいて、オービタを実行する。このため、互いに形状が異なる外周部包絡線Ｇ１１〜Ｇ１４に基づいてオービタを実行するので、焼き付きの境界が残ることを抑制でき、オービタによる焼き付きの抑制効果をより長く維持できる。【選択図】図３
2008281611.tif 000002
【特許請求の範囲】
【請求項１】
表示画像の表示位置を所定周期で変更する表示位置調整手段を備える表示装置の焼付防止方法であって、
前記表示位置調整手段により、前記表示画像の移動軌跡が互いに異なる複数の移動軌跡モードに基づいて、前記表示画像の表示位置を変更する
ことを特徴とする表示装置の焼付防止方法。
【請求項２】
請求項１に記載の表示装置の焼付防止方法において、
前記表示位置調整手段により、点灯累積時間に応じて、前記複数の移動軌跡モードのうちの異なる１つを順次選択し、この順次選択した移動軌跡モードに基づいて、前記表示位置を変更する
ことを特徴とする表示装置の焼付防止方法。
【請求項３】
請求項１または請求項２に記載の表示装置の焼付防止方法において、
前記複数の移動軌跡モードは、移動軌跡の形状が互いに異なる
ことを特徴とする表示装置の焼付防止方法。
【請求項４】
請求項１または請求項２に記載の表示装置の焼付防止方法において、
前記複数の移動軌跡モードは、移動軌跡の形状が相似形で移動範囲が互いに異なる
ことを特徴とする表示装置の焼付防止方法。
【請求項５】
請求項１または請求項２に記載の表示装置の焼付防止方法において、
前記複数の移動軌跡モードは、移動軌跡の形状が同じで移動軌跡の中心が互いに異なる
ことを特徴とする表示装置の焼付防止方法。
【請求項６】
請求項１または請求項２に記載の表示装置の焼付防止方法において、
前記複数の移動軌跡モードは、
移動軌跡の形状が互いに異なる複数の移動軌跡モードと、
移動軌跡の形状が相似形で移動範囲が互いに異なる複数の移動軌跡モードと、
を備えることを特徴とする表示装置の焼付防止方法。
【請求項７】
請求項１または請求項２に記載の表示装置の焼付防止方法において、
前記複数の移動軌跡モードは、
移動軌跡の形状が相似形で移動範囲が互いに異なる複数の移動軌跡モードと、
移動軌跡の形状が同じで移動軌跡の中心が互いに異なる複数の移動軌跡モードと、
を備えることを特徴とする表示装置の焼付防止方法。
【請求項８】
請求項１または請求項２に記載の表示装置の焼付防止方法において、
前記複数の移動軌跡モードは、
移動軌跡の形状が同じで移動軌跡の中心が互いに異なる複数の移動軌跡モードと、
移動軌跡の形状が互いに異なる複数の移動軌跡モードと、
を備えることを特徴とする表示装置の焼付防止方法。
【請求項９】
請求項１または請求項２に記載の表示装置の焼付防止方法において、
前記複数の移動軌跡モードは、
移動軌跡の形状が互いに異なる複数の移動軌跡モードと、
移動軌跡の形状が相似形で移動範囲が互いに異なる複数の移動軌跡モードと、
移動軌跡の形状が同じで移動軌跡の中心が互いに異なる複数の移動軌跡モードと、
を備えることを特徴とする表示装置の焼付防止方法。
【請求項１０】
請求項１または請求項２に記載の表示装置の焼付防止方法において、
前記複数の移動軌跡モードは、移動軌跡の形状及び移動範囲が互いに異なる
ことを特徴とする表示装置の焼付防止方法。
【請求項１１】
請求項１または請求項２に記載の表示装置の焼付防止方法において、
前記複数の移動軌跡モードは、移動軌跡の移動範囲及び中心が互いに異なる
ことを特徴とする表示装置の焼付防止方法。
【請求項１２】
請求項１または請求項２に記載の表示装置の焼付防止方法において、
前記複数の移動軌跡モードは、移動軌跡の形状及び中心が互いに異なる
ことを特徴とする表示装置の焼付防止方法。
【請求項１３】
請求項１または請求項２に記載の表示装置の焼付防止方法において、
前記複数の移動軌跡モードは、移動軌跡の形状、移動範囲及び中心が互いに異なる
ことを特徴とする表示装置の焼付防止方法。
【請求項１４】
請求項１から請求項１３のいずれかに記載の表示装置の焼付防止方法において、
前記表示画像は、プラズマディスプレイ上の表示画像である
ことを特徴とする表示装置の焼付防止方法。
【発明の詳細な説明】
【技術分野】
【０００１】
本発明は、表示装置の焼き付きを防止する表示装置の焼付防止方法に関する。
【背景技術】
【０００２】
ＣＲＴ（Cathode Ray Tube）、プラズマディスプレイパネルのような蛍光体の励起に伴う発光現象を利用して表示を行う表示装置においては、長時間連続して表示画像を表示しつづけると、蛍光体が劣化していわゆる焼き付きを起こすことがある。
【０００３】
このような焼き付きを防止するために、表示物体の画面上での表示位置を時間経過とともに徐々に強制的に移動させる（以下、オービタと記す）ようにした焼付防止方法が提案されている（例えば、特許文献１参照）。
【０００４】
この特許文献１に記載の焼付防止方法においては、まず、表示画像中の表示物体を画面上の水平右方向に１ドットずつ徐々に５ドット分だけ移動させる。次に、その位置から、表示物体を１ドット分だけ垂直方向に移動させ、そこから水平左方向に表示物体を１ドットずつ徐々に５ドット分だけ移動させる。そして、再び、表示物体を１ドット分だけ垂直方向に移動させてから、上述したような動作を繰り返し実行する。要するに、表示画像中の表示物体を画面の水平方向に徐々に移動させる動作と、垂直方向に１ドット分だけ移動させる動作とを交互に繰り返し実行することにより、表示画像である表示物体を画面内において移動させて、画面の焼き付きを防止する。
【０００５】
しかしながら、このような焼き付き防止用の動作では、表示画像として、例えば画面内の水平方向及び垂直方向に各々伸長する罫線を含む「表」を表示している場合には、以下のような不具合が生じるおそれがある。つまり、水平方向に伸長する罫線は、これを水平方向に移動させている間、同一の画面位置に固定表示されることになる。同様に、垂直方向に伸長する罫線は、垂直方向に移動させている間、同一の画面位置に固定表示されることになる。よって、特許文献１のような焼き付き防止動作では、確実に画面の焼き付きを防止することができないという問題があった。
【０００６】
そこで、このような不具合を解消する焼付防止方法が提案されている（例えば、特許文献２参照）。
【０００７】
この特許文献２に記載の焼付防止方法においては、表示画像を表示装置の画面内で徐々に螺旋状に移動させる、つまり斜め方向に移動させる。これにより、「表」を表示画像として表示している場合であっても、この「表」の罫線は、常に画面内の他の位置に移動することになり、画面の焼き付きが防止される。
【０００８】
【特許文献１】特開２０００−２２７７７５号公報
【特許文献２】特開２００５−２５７７２５号公報
【発明の開示】
【発明が解決しようとする課題】
【０００９】
しかしながら、上記特許文献１及び特許文献２のような構成では、表示装置が長時間、例えば数百〜数千時間点灯され続けると、表示画像の移動範囲の内側において焼き付きが進行し、周辺との輝度差が発生するおそれがある。例えば、図１（Ａ）に示すような固定文字Ｍが表示されている表示画像のオービタを、図１（Ｂ）に示すように、外周部包絡線Ｇの形状が長方形となる条件で実行した場合、外周部包絡線Ｇを境界とした内側と外側とで輝度差が発生するおそれがある。
【００１０】
本発明は、上記のような問題に鑑みて、表示装置の焼き付きの抑制効果をより長く維持可能な表示装置の焼付防止方法を提供することを１つの目的とする。
【課題を解決するための手段】
【００１１】
請求項１に記載の発明は、表示画像の表示位置を所定周期で変更する表示位置調整手段を備える表示装置の焼付防止方法であって、前記表示位置調整手段により、前記表示画像の移動軌跡が互いに異なる複数の移動軌跡モードに基づいて、前記表示画像の表示位置を変更することを特徴とする表示装置の焼付防止方法である。
【発明を実施するための最良の形態】
【００１２】
［第１実施形態］
以下、本発明の第１実施形態について図面に基づいて説明する。図２は、本発明の第１実施形態に係る表示装置の概略構成を示すブロック図である。図３は、移動軌跡モードの説明図であり、（Ａ）は第１移動軌跡モードを表し、（Ｂ）は第２移動軌跡モードを表し、（Ｃ）は第３移動軌跡モードを表し、（Ｄ）は第４移動軌跡モードを表す。
【００１３】
〔表示装置の構成〕
第１実施形態において、図２に示すように、表示装置１００は、プラズマ放電による発光を利用して表示画像を表示する。また、表示装置１００は、表示画像の表示位置を変更する処理、つまりオービタを実行して、表示画面の焼き付きを防止する。この表示装置１００は、表示部１１０と、タイマ１２０と、移動軌跡情報記憶部１３０と、制御部１４０と、を備えている。
【００１４】
表示部１１０は、いわゆるプラズマディスプレイパネル（Plasma Display Panel：ＰＤＰ）であり、例えば略平面長方形状に形成されている。この表示部１１０は、制御部１４０により制御され、プラズマ放電による発光を利用して表示画像を表示する。なお、表示部１１０としては、ＣＲＴを適用してもよい。
【００１５】
タイマ１２０は、制御部１４０に接続され、図示しない入力手段の入力操作により、表示部１１０における表示画像の表示を開始する旨や終了する旨の設定入力を認識する。そして、表示画像が実際に表示された時間を計測して累積し、この累積した時間ｔ（以下、点灯累積時間ｔと記す）を制御部１４０へ出力する。
【００１６】
移動軌跡情報記憶部１３０は、制御部１４０に接続され、オービタ実行時における表示画像の移動軌跡モードに関する移動軌跡モード情報１３１を記憶している。
この移動軌跡モード情報１３１は、点灯累積時間と、移動軌跡の形状と、に関する第１〜第４モード詳細情報を備えている。
具体的には、第１モード詳細情報は、図３（Ａ）に示すように、点灯累積時間ｔが０〜５００時間の場合に、移動軌跡の外周部包絡線Ｇ１１が長方形となる第１移動軌跡モードで、オービタを実行する旨の内容を有している。
第２モード詳細情報は、図３（Ｂ）に示すように、点灯累積時間ｔが５００〜１０００時間の場合に、外周部包絡線Ｇ１２がひし形となり、かつ、その中心が外周部包絡線Ｇ１１と一致する第２移動軌跡モードで、オービタを実行する旨の内容を有している。
第３モード詳細情報は、図３（Ｃ）に示すように、点灯累積時間ｔが１０００〜１００００時間の場合に、外周部包絡線Ｇ１３が楕円形となり、かつ、その中心が外周部包絡線Ｇ１１，Ｇ１２と一致する第３移動軌跡モードで、オービタを実行する旨の内容を有している。
第４モード詳細情報は、図３（Ｄ）に示すように、点灯累積時間ｔが１００００時間を超える場合に、外周部包絡線Ｇ１４がＸ字形状となり、かつ、その中心が外周部包絡線Ｇ１１〜Ｇ１３と一致する第３移動軌跡モードで、オービタを実行する旨の内容を有している。
なお、外周部包絡線Ｇ１１〜Ｇ１４に基づくオービタ実行時の左右方向及び上下方向への移動幅は、表示部１１０を構成する図示しない画素の数ドット分である。
【００１７】
制御部１４０は、図２に示すように、画像信号を出力する画像信号出力部１０に接続されている。この制御部１４０は、表示処理手段１４１と、表示位置調整手段１４２と、を備えている。
表示処理手段１４１は、画像信号出力部１０からの画像信号を取得して、この画像信号に基づく表示画像を表示部１１０で表示させる。
表示位置調整手段１４２は、表示処理手段１４１の制御により表示された表示画像に対して、オービタを実行する。
具体的には、表示位置調整手段１４２は、タイマ１２０から点灯累積時間ｔを取得して、この点灯累積時間ｔに対応する情報を移動軌跡情報記憶部１３０から取得する。例えば、点灯累積時間ｔが１００時間の場合に移動軌跡モード情報１３１の第１モード詳細情報を取得し、５０００時間の場合に第３モード詳細情報を取得する。そして、表示位置調整手段１４２は、この取得した情報に基づく移動軌跡モードでオービタを実行する。
【００１８】
〔表示装置の動作〕
次に、表示装置１００の動作として、オービタの実行処理について説明する。
図４は、オービタの実行処理を示すフローチャートである。
【００１９】
表示装置１００の制御部１４０は、表示処理手段１４１にて、利用者の設定入力に基づき表示画像を表示させると、表示位置調整手段１４２にて、タイマ１２０で計測された点灯累積時間ｔを認識する。そして、図４に示すように、第１モード詳細情報に基づいて、図３（Ａ）に示すような第１移動軌跡モードのオービタを実行する（ステップＳ１）。この後、例えば所定時間経過後に点灯累積時間ｔがｔ１（５００時間）以上か否かを判断して（ステップＳ２）、ｔ１以上でないと判断した場合、ステップＳ１の処理をする。また、ステップＳ２において、ｔ１以上であると判断した場合、第２モード詳細情報に基づいて、図３（Ｂ）に示すような第２移動軌跡モードのオービタを実行する（ステップＳ３）。
【００２０】
さらに、表示位置調整手段１４２は、点灯累積時間ｔがｔ２（１０００時間）以上か否かを判断して（ステップＳ４）、ｔ２以上でないと判断した場合、ステップＳ３の処理をする。一方、ステップＳ４において、ｔ２以上であると判断した場合、第３モード詳細情報に基づいて、図３（Ｃ）に示すような第３移動軌跡モードのオービタを実行する（ステップＳ５）。
この後、点灯累積時間ｔがｔ３（１００００時間）以上か否かを判断して（ステップＳ６）、ｔ３以上でないと判断した場合、ステップＳ５の処理をする。また、ステップＳ６において、ｔ３以上であると判断した場合、第４モード詳細情報に基づいて、図３（Ｄ）に示すような第４移動軌跡モードのオービタを実行する（ステップＳ７）。
【００２１】
この後、表示位置調整手段１４２は、点灯累積時間ｔがｔ４（例えば、２００００時間）以上か否かを判断して（ステップＳ８）、ｔ４以上でないと判断した場合、ステップＳ７の処理をする。一方、ステップＳ８において、ｔ４以上であると判断した場合、例えば点灯累積時間ｔをリセットして、ステップＳ１の処理をする。
【００２２】
〔第１実施形態の作用効果〕
以上の構成の第１実施形態によれば、以下の作用効果が期待できる。
【００２３】
（１）表示装置１００の表示位置調整手段１４２は、表示画像の移動軌跡が互いに異なる第１〜第４移動軌跡モードに基づいて、オービタを実行する。
このため、互いに異なる外周部包絡線Ｇ１１〜Ｇ１４に基づいてオービタを実行するので、焼き付きの境界が残ることを抑制でき、オービタによる焼き付きの抑制効果をより長く維持できる。
【００２４】
（２）本発明の焼付防止方法を、ＰＤＰ上の表示画像に対して適用している。
このため、焼き付きの抑制効果を長期間維持可能なＰＤＰを提供できる。
【００２５】
（３）表示位置調整手段１４２は、表示装置１００の点灯累積時間ｔに応じて、第１〜第４移動軌跡モードのうちのいずれか１個を選択して、オービタを実行する。
このため、点灯累積時間ｔに応じて自動的に外周部包絡線Ｇ１１〜Ｇ１４が変更されるので、利便性を向上できる。また、焼き付き状態に対応する因子である点灯累積時間ｔに応じて、外周部包絡線Ｇ１１〜Ｇ１４を変更するので、焼き付きの境界が残ることをより適切に抑制できる。
【００２６】
（４）表示位置調整手段１４２は、移動軌跡モード情報１３１に基づいて、互いに形状が異なる外周部包絡線Ｇ１１〜Ｇ１４に基づいてオービタを実行する。
このため、外周部包絡線Ｇ１１〜Ｇ１４による直線的あるいは曲線的な境界を、順次消し込む作用を働かせることができ、焼き付きの境界が残ることをさらに適切に抑制できる。
【００２７】
［第２実施形態］
次に、本発明の第２実施形態について図面に基づいて説明する。この第２実施形態は、第１〜第４移動軌跡モードのオービタを実行するための移動軌跡モード情報の内容が第１実施形態とは異なるものである。
ここで、第２，第３実施形態において、第１実施形態と同じ構成については、同一符号を付し、説明を適宜省略あるいは簡略にするとともに、表示装置の動作については、第１実施形態と同様なので説明を省略する。
図５は、移動軌跡モードの説明図であり、（Ａ）は第１移動軌跡モードを表し、（Ｂ）は第２移動軌跡モードを表し、（Ｃ）は第３移動軌跡モードを表し、（Ｄ）は第４移動軌跡モードを表す。
【００２８】
〔表示装置の構成〕
図２に示すように、表示装置２００は、移動軌跡情報記憶部１３０に記憶された移動軌跡モード情報２３１を除いて、第１実施形態と同じ構成を有している。
移動軌跡モード情報２３１は、点灯累積時間と、表示画像の移動幅と、に関する第１〜第４モード詳細情報を備えている。
【００２９】
具体的には、第１モード詳細情報は、図５（Ａ）に示すように、点灯累積時間ｔが０〜５００時間の場合に、外周部包絡線Ｇ２１が、左右方向の移動幅がそれぞれ６ドット、上下方向の移動幅がそれぞれ４ドットの長方形となる第１移動軌跡モードで、オービタを実行する旨の内容を有している。
第２モード詳細情報は、図５（Ｂ）に示すように、点灯累積時間ｔが５００〜１０００時間の場合に、外周部包絡線Ｇ２２が、左右方向の移動幅がそれぞれ９ドット、上下方向の移動幅がそれぞれ６ドットの長方形となり、かつ、その中心が外周部包絡線Ｇ２１と一致する第２移動軌跡モードで、オービタを実行する旨の内容を有している。
第３モード詳細情報は、図５（Ｃ）に示すように、点灯累積時間ｔが１０００〜１００００時間の場合に、外周部包絡線Ｇ２３が、左右方向の移動幅がそれぞれ１２ドット、上下方向の移動幅がそれぞれ８ドットの長方形となり、かつ、その中心が外周部包絡線Ｇ２１，Ｇ２２と一致する第３移動軌跡モードで、オービタを実行する旨の内容を有している。
第４モード詳細情報は、図５（Ｄ）に示すように、点灯累積時間ｔが１００００時間を超える場合に、外周部包絡線Ｇ２４が、左右方向の移動幅がそれぞれ１５ドット、上下方向の移動幅がそれぞれ１０ドットの長方形となり、かつ、その中心が外周部包絡線Ｇ２１〜Ｇ２３と一致する第３移動軌跡モードで、オービタを実行する旨の内容を有している。
そして、表示位置調整手段１４２は、点灯累積時間ｔに対応する情報を移動軌跡モード情報２３１から取得して、この取得した情報に基づいて、図５（Ａ）〜（Ｄ）に示すようなオービタを実行する。
【００３０】
〔第２実施形態の作用効果〕
以上の構成の第２実施形態によれば、第１実施形態の（１）〜（３）と同様の作用効果に加え、以下の作用効果が期待できる。
【００３１】
（５）表示位置調整手段１４２は、移動軌跡モード情報２３１に基づいて、移動軌跡の形状が相似形で移動範囲が互いに異なる外周部包絡線Ｇ２１〜Ｇ２４に基づいてオービタを実行する。
このため、移動軌跡モード情報２３１に、上下左右方向の移動量に関する情報を設ければよく、第１実施形態のように、上下左右方向の移動量に関する情報と比べて情報量が多い複数の移動軌跡の形状に関する情報を設ける必要がない。したがって、移動軌跡モード情報２３１の構成を簡略にでき、オービタ実行時の処理負荷をより低減できる。
【００３２】
［第３実施形態］
次に、本発明の第３実施形態について図面に基づいて説明する。この第３実施形態は、第１〜第４移動軌跡モードのオービタを実行するための移動軌跡モード情報の内容が第１，第２実施形態とは異なるものである。
図６は、移動軌跡モードの説明図であり、（Ａ）は第１移動軌跡モードを表し、（Ｂ）は第２移動軌跡モードを表し、（Ｃ）は第３移動軌跡モードを表し、（Ｄ）は第４移動軌跡モードを表す。
【００３３】
〔表示装置の構成〕
図２に示すように、表示装置３００は、移動軌跡情報記憶部１３０に記憶された移動軌跡モード情報３３１を除いて、第１実施形態と同じ構成を有している。
移動軌跡モード情報３３１は、点灯累積時間と、移動軌跡の中心位置のオフセットと、に関する第１〜第４モード詳細情報を備えている。
【００３４】
具体的には、第１モード詳細情報は、図６（Ａ）に示すように、点灯累積時間ｔが０〜５００時間の場合に、外周部包絡線Ｇ３１が長方形となり、その中心位置Ｃ１がオフセットの原点となる第１移動軌跡モードで、オービタを実行する旨の内容を有している。
第２モード詳細情報は、図６（Ｂ）に示すように、点灯累積時間ｔが５００〜１０００時間の場合に、外周部包絡線Ｇ３２が外周部包絡線Ｇ３１と同一形状であり、かつ、その中心位置Ｃ２の中心位置Ｃ１に対するオフセットが右方向に１０ドット、上方向に６ドットとなる第２移動軌跡モードで、オービタを実行する旨の内容を有している。
第３モード詳細情報は、図６（Ｃ）に示すように、点灯累積時間ｔが１０００〜１００００時間の場合に、外周部包絡線Ｇ３３が外周部包絡線Ｇ３１，Ｇ３２と同一形状であり、かつ、その中心位置Ｃ３の中心位置Ｃ１に対するオフセットが右方向に３ドット、下方向に１０ドットとなる第３移動軌跡モードで、オービタを実行する旨の内容を有している。
第４モード詳細情報は、図６（Ｄ）に示すように、点灯累積時間ｔが１００００時間を超える場合に、外周部包絡線Ｇ３４が外周部包絡線Ｇ３１〜Ｇ３３と同一形状であり、かつ、その中心位置Ｃ４の中心位置Ｃ１に対するオフセットが左方向に１０ドット、上方向に８ドットとなる第４移動軌跡モードで、オービタを実行する旨の内容を有している。
そして、表示位置調整手段１４２は、点灯累積時間ｔに対応する情報を移動軌跡モード情報３３１から取得して、この取得した情報に基づいて、図６（Ａ）〜（Ｄ）に示すようなオービタを実行する。
【００３５】
〔第３実施形態の作用効果〕
以上の構成の第３実施形態によれば、第１実施形態の（１）〜（３）と同様の作用効果に加え、以下の作用効果が期待できる。
【００３６】
（６）表示位置調整手段１４２は、移動軌跡モード情報３３１に基づいて、移動軌跡の形状が同じで移動軌跡の中心位置Ｃ１〜Ｃ４が互いに異なる外周部包絡線Ｇ３１〜Ｇ３４に基づいてオービタを実行する。
このため、移動軌跡モード情報３３１に、中心位置Ｃ１〜Ｃ４のオフセットに関する情報を設ければよく、第１実施形態のように、オフセットに関する情報と比べて情報量が多い複数の移動軌跡の形状に関する情報を設ける必要がない。したがって、移動軌跡モード情報３３１の構成を簡略にでき、オービタ実行時の処理負荷をより低減できる。
【００３７】
［他の実施形態］
なお、本発明は前述の実施形態に限定されるものではなく、本発明の目的を達成できる範囲での変形、改良等は本発明に含まれるものである。
【００３８】
例えば、点灯累積時間ｔに応じて自動的に移動軌跡モードを変更したが、利用者の設定入力や、表示装置１００，２００，３００がオンオフされた回数に基づいて移動軌跡モードを変更してもよい。さらに、第１〜第４移動軌跡モードに切り換える点灯累積時間ｔを、前述の実施形態と異なる時間としてもよい。
【００３９】
そして、第１，第２，第３実施形態のうちの２個または３個の実施形態における各移動軌跡モードを適宜組み合わせて、オービタを実行してもよい。例えば、０〜５００時間は外周部包絡線Ｇ２１、５００〜１０００時間は外周部包絡線Ｇ１２、１０００〜１００００時間は外周部包絡線Ｇ２３、１００００時間を超える場合は外周部包絡線Ｇ３４に基づいて、オービタを実行してもよい。また、０〜５００時間は外周部包絡線Ｇ３１、５００〜１０００時間は外周部包絡線Ｇ１２、１０００〜１００００時間は外周部包絡線Ｇ３３、１００００時間を超える場合は外周部包絡線Ｇ１４に基づいて、オービタを実行してもよい。つまり、移動軌跡の形状が互いに異なる移動軌跡モードと、移動軌跡の形状が相似形で移動範囲が互いに異なる移動軌跡モードと、移動軌跡の形状が同じで移動軌跡の中心位置が互いに異なる移動軌跡モードと、を適宜組み合わせて、オービタを実行する構成としてもよい。
このような構成にすれば、第１，第２，第３実施形態と比べて、オービタによる焼き付きの抑制効果をさらに長く維持できる。
【００４０】
また、第１実施形態において、外周部包絡線Ｇ１２〜Ｇ１４のサイズを図３（Ｂ）〜（Ｄ）に示すものよりも大きくした第２〜第４移動軌跡モード、つまり、移動軌跡の形状及び移動範囲が互いに異なる第２〜第４移動軌跡モードでオービタを実行してもよい。
そして、第３実施形態において、外周部包絡線Ｇ３２〜Ｇ３４のサイズを図６（Ｂ）〜（Ｄ）に示すものよりも大きくした第２〜第４移動軌跡モード、つまり、移動軌跡の移動範囲及び中心が互いに異なる第２〜第４移動軌跡モードでオービタを実行してもよい。
さらに、第１実施形態において、外周部包絡線Ｇ１２〜Ｇ１４の中心位置を外周部包絡線Ｇ１１の中心位置と異なる位置に設定した第２〜第４移動軌跡モード、つまり、移動軌跡の形状及び中心が互いに異なる第２〜第４移動軌跡モードでオービタを実行してもよい。
また、第１実施形態において、外周部包絡線Ｇ１２〜Ｇ１４のサイズを図３（Ｂ）〜（Ｄ）に示すものよりも大きくするとともに、中心位置を外周部包絡線Ｇ１１と異なる位置に設定した第２〜第４移動軌跡モード、つまり、移動軌跡の形状、移動範囲および中心が互いに異なる第２〜第４移動軌跡モードでオービタを実行してもよい。
【００４１】
そして、第２，第３実施形態において、長方形の外周部包絡線Ｇ２１，Ｇ３１のサイズを大きくしたり、中心位置のオフセットを変えたりして、第２〜第４移動軌跡モードを設定したが、ひし形、楕円形、Ｘ字形状、長方形以外の多角形形状を有する外周部包絡線のサイズや中心位置のオフセットを変えてもよい。
さらに、第１〜第３実施形態において、第１〜第４移動軌跡モードに基づいてオービタを実行したが、２個や５個以上の移動軌跡モードに基づいてオービタを実行してもよい。
【００４２】
その他、本発明の実施の際の具体的な構造及び手順は、本発明の目的を達成できる範囲で他の構造などに適宜変更できる。
【００４３】
［実施形態の作用効果］
上記したように、表示装置１００の表示位置調整手段１４２は、表示画像の移動軌跡が互いに異なる第１〜第４移動軌跡モードに基づいて、オービタを実行する。
このため、互いに異なる外周部包絡線Ｇ１１〜Ｇ１４に基づいてオービタを実行するので、焼き付きの境界が残ることを抑制でき、オービタによる焼き付きの抑制効果をより長く維持できる。
また、本発明の焼付防止方法を、ＰＤＰ上の表示画像に対して適用しているので、焼き付きの抑制効果を長期間維持可能なＰＤＰを提供できる。
【図面の簡単な説明】
【００４４】
【図１】従来におけるオービタの説明図であり、（Ａ）はオービタ実行対象の表示画像を表し、（Ｂ）はオービタ実行時の外周部包絡線を表す。
【図２】本発明の第１，第２，第３実施形態に係る表示装置の概略構成を示すブロック図である。
【図３】前記第１実施形態における移動軌跡モードの説明図であり、（Ａ）は第１移動軌跡モードを表し、（Ｂ）は第２移動軌跡モードを表し、（Ｃ）は第３移動軌跡モードを表し、（Ｄ）は第４移動軌跡モードを表す。
【図４】前記第１実施形態におけるオービタの実行処理を示すフローチャートである。
【図５】前記第２実施形態における移動軌跡モードの説明図であり、（Ａ）は第１移動軌跡モードを表し、（Ｂ）は第２移動軌跡モードを表し、（Ｃ）は第３移動軌跡モードを表し、（Ｄ）は第４移動軌跡モードを表す。
【図６】前記第３実施形態における移動軌跡モードの説明図であり、（Ａ）は第１移動軌跡モードを表し、（Ｂ）は第２移動軌跡モードを表し、（Ｃ）は第３移動軌跡モードを表し、（Ｄ）は第４移動軌跡モードを表す。
【符号の説明】
【００４５】
１００，２００，３００…表示装置
１４２…表示位置調整手段
【図１】
2008281611.tif 000003
【図２】
2008281611.tif 000004
【図３】
2008281611.tif 000005
【図４】
2008281611.tif 000006
【図５】
2008281611.tif 000007
【図６】
2008281611.tif 000008